(57)【特許請求の範囲】
【請求項１】
テーブル上面板（１４）と、各々上端（４４）及び下端（４８）を有する、上記テーブル上面板を支持するための垂直配置の複数の脚（４２）と、を含み、上記脚（４２）の各々は、リンク部材（２８、３４）のトラス対（２６）によって隣接した脚（４２）に連結され、上記トラス対（２６）の各々は第１端（３０、３６）と第２端（３２、３８）を有する第１リンク部材（２８）及び第２リンク部材（３４）を有し、上記第１リンク部材（２８）は、上記１つの脚（４２）の上端（４４）に連結される第１端（３０）を有し、各第２リンク部材（３４）は、上記脚（４２）に滑動可能に連結された第２端（３８）を有し、上記第１リンク部材（２８）及び第２リンク部材（３４）は、第１の折りたたみ位置から第２の広げ位置まで水平方向に広がるようにはさみ形態に共に枢動可能に連結される、折りたたみ可能なディスプレーテーブルにおいて、
上記テーブル上面板（１４）は、少なくとも２つのスロット（７２）を構成する底面を有し、少なくとも２つのテーブル上面板支持アーム（６２）が上記テーブル上面板（１４）の上記少なくとも２つのスロット（７２）と嵌まり合うようになっており、上記テーブル上面板支持アーム（６２）の各々の上記第１端（６４）は、上記脚の１つの上端（４４）に枢動可能に連結され、上記テーブル上面板支持アーム（６２）の各々の第２端（４６）は上記脚のうちの隣接した脚の上記上端（４４）に取外し自在に取付けられ、下方棚（１２）を含み、少なくとも２つの棚支持アーム（７８）の各々が第１端（８０）及び第２端（８２）を有し、且つ下方棚（１２）を支持するために、上記下方棚支持アーム（７８）の前記第１端（８０）及び第２端（８２）を隣接した脚（４２）間に取り外し自在にとりつけるための手段（８４、８６）を有する、ことを特徴とする、折りたたみ可能なディスプレーテーブル。
【請求項２】
上記第１リンク部材（２８）の上記第２端（３２）は、もう１つの脚（４２）に滑動可能に連結され、上記第２のリンク部材（３４）の上記第１端（３６）は、上記もう１つの脚（４２）の上端（４６）に枢動可能に連結されている、請求項１に記載の折りたたみ可能なディスプレーテーブル。
【請求項３】
上記第１リンク部材及び第２リンク部材（１０２、１０２'、１０４、１０４'）の各々は、内端（１０６、１０６'、１１０、１１０'）及び外端（１０８、１０８'、１１２、１１２'）を有し、上記第１リンク部材（１０２）の内端（１０６）は、他の第１リンク部材（１０４'）の内端（１０６'）に枢動可能に連結され、上記第２リンク部材（１０４）の内端（１１０）は、他の第２リンク部材（１０２'）の内端（１１０'）に枢動可能に連結され、第１リンク部材及び第２リンク部材（１０２、１０４）の上記各対は、第１の折りたたみ位置から第２の広げ位置まで水平方向に広がるように二重のはさみ形態に第１リンク部材及び第２リンク部材（１０２'、１０４'）の他の対と共に枢動可能に連結される、請求項１に記載の折りたたみ可能なディスプレーテーブル。
【請求項４】
上記脚（４２）の各々は、床との係合のための入れ子式脚延長部（５０）を有することを特徴とする、請求項１に記載の折りたたみ可能なディスプレーテーブル。
【請求項５】
上記脚（４２）の各々は、上記脚延長部（５０）を引込み位置で固定するための手段（５４）を有する、請求項４に記載の折りたたみ可能なディスプレーテーブル。
【請求項６】
上記脚（４２）の各々は、上記脚延長部（５０）を伸長位置で固定するための手段（５４）を有する、請求項４に記載の折りたたみ可能なディスプレーテーブル。
【請求項７】
上記各脚（４２）は、第１及び第２リンク部材（２８、３４）を前記脚（４２）に滑動可能に連結するための、上記脚に滑動可能に取り付けられた滑動部材（５７）を有する、請求項２に記載の折りたたみ可能なディスプレーテーブル。
【請求項８】
滑動部材（５７）は、上記脚（４２）の各々に滑動可能に連結され、上記各リンク部材（２８、３４）の上記第２端（３２、３８）は上記滑動部材（５７）の各々に連結されている、請求項７に記載の折りたたみ可能なディスプレーテーブル。
【請求項９】
上記脚（４２）の少なくとも１つは、上記滑動部材（５７）の少なくとも１つを上記脚（４２）の一定位置に掛止するための掛止手段（６０）を含む、請求項７に記載の折りたたみ可能なディスプレーテーブル。
【請求項１０】
上記脚（４２）の少なくとも１つは、上記滑動部材（５７）の少なくとも１つを上記脚（４２）の一定位置に掛止するための掛止手段（６０）を有する、請求項８に記載の折りたたみ可能なディスプレーテーブル。
【請求項１１】
上記テーブル上面板（１４）は、折りたたむことができるように共にヒンジ連結された複数のセグメント（６８）からなることを特徴とする、請求項１に記載の折りたたみ可能なディスプレーテーブル。
【請求項１２】
上記下方棚（１２）は、折りたたむことができるように共にヒンジ連結された複数のセグメント（７４）からなることを特徴とする、請求項１に記載の折りたたみ可能なディスプレーテーブル。
【請求項１３】
上記下方棚（１２）は、上記下方棚支持アーム（７８）と嵌り合うための溝（９０）を備えた底面（８８）を有することを特徴とする、請求項１に記載の折りたたみ可能なディスプレーテーブル。
【発明の詳細な説明】
〔本発明の技術分野〕
本発明は、一般的に折りたたみ構造物、特にトラス骨組、折りたたみテーブル上面板及び折りたたみ多用途棚を有する折りたたみ可能なディスプレーテーブルに関する。
〔関連技術の説明〕
組み立て位置に係止するために隠れた位置から回転するテーブル上面板に枢動可能に連結された個々の脚又は対の脚を有する折りたたみカードテーブル及び重い作業テーブルは周知である。そのようなテーブルの可搬性は一般的にはテーブル上面板の大きさによって制限される。より軽量なカードテーブル型テーブルは、一般的に、巡回講演に現代使用されているビデオ又はコンピューター型のディスプレー機器を支持するのに十分強くなく又十分安定していない。より重い折りたたみ作業型テーブルは一般的に非常に大きくかつ重く、講演の際の持ち運び可能なディスプレーテーブルとして使用するのには実用的でなく、ビデオ又はコンピューターディスプレー機器及び適当なディスプレーテーブルを輸送するためのトラックの使用をしばしば必要とする。より小さくもっと容易に持ち運びできるディスプレーテーブルで支持できるビデオ又はコンピューターディスプレー機器の大きさ及び重さは又一般的に制限されてきた。１つ又はそれ以上の多用途棚を提供するディスプレーテーブルも、ディスプレー機器用の空間の効率的な使用を提供するのに有用であるが、１つ又はそれ以上の多用途棚を備える従来のテーブルは又、一般的に折りたためずかつ容易に持ち運べない。
従って、折りたみ可能な支持骨組を有する改良折りたたみ可能なディスプレーテーブルを提供することが望ましい。更に、比較的大きく重いビデオ表示モニター、テレビ、ビデオ又はフィルムディスプレー機器等の支持を可能にするより大きい強度及び安定性をもたらす折りたたみ可能なディスプレーテーブルを提供することが望ましい。又、ディスプレー機器を収容するための空間のより大きい、より効率的な使用を提供する１つ又はそれ以上の多用途棚を備えた折りたたみ可能なディスプレーテーブルを提供することが望ましい。本発明はこれらの要望を満たす。
〔本発明の概要〕
概略的にかつほぼ明確に、本発明は、折りたたみテーブル上面板及び折りたたみ多用途棚を支持する折りたたみ可能なトラス骨組を有する改良折りたたみ可能なディスプレーテーブルを提供する。折りたたみ可能なディスプレーテーブルは、ディスプレー機器を収容するための空間のより大きく、もっと効率的な使用を提供する１つ又はそれ以上の多用途棚を備え、かつ比較的に大きく重いビデオ表示モニター及びビデオ又はフィルムディスプレー機器を支持する、改善された強度及び安定性を有する。
従って、本発明は、テーブル上面板、複数の脚及び隣接した脚間に連結されたリンク部材の少なくとも１つのトラス対を有する折りたたみ万能なディスプレーテーブルを提供する。各トラス対の第１リンク部材はその一端が１つの脚の上端に連結され、第２リンク部材は脚に滑動可能にかつ枢動可能に連結される。各トラス対の２つのリンク部材も又、第１の折りたたみ位置から第２広げ位置まで水平方向に広げられるようにはさみ形に共に枢動可能に連結される。少なくとも２つのテーブル上面板支持アームが設けられ、テーブル上面板の各々の第１端は脚の１つの上端に枢動可能に連結され、第２端は、脚のうちの隣接した脚の上端に取外し自在に取付けられる。折りたたみ可能なディスプレーテーブルは又、下方棚及び下方棚を支持するために隣接した脚間に取外し自在に取付けられる少なくとも２つの棚支持アームを含む。折りたたみ可能なディスプレーテーブルの脚は、好ましくは、入れ子式脚延長部及び脚延長部を引込み位置及び伸長位置で固定するための手段を含む。テーブル上面板及び下方多用途棚は、好ましくは、共にヒンジ連結された複数のセグメントで作られ、テーブル上面板及び下方多用途棚を折りたためるようにし、テーブル上面板及び下方多用途棚は、好ましくは、対応する支持アームと嵌り合うためのスロットをテーブル上面板と下方多用途棚の底面に備える。
別の実施形態では、折りたたみ可能なディスプレーテーブルの隣接した脚は、第１折りたたみ位置から第２広げ位置まで水平方向に広げられるようにはさみ形に共に枢動可能に連結されたリンク部材のトラス対によって連結されかつ安定化されることができる。
本発明のこれらと他の特徴及び利点は、以下の詳細説明及び本発明の特徴を例示として示す添付図面から明らかになるであろう。
【図面の簡単な説明】
図１は、折りたたみ可能なディスプレーテーブルの上面板に表示モニターを載せ、仮想線で示す折りたたみ可能なディスプレーテーブルの下方棚に付属機器を載せ、シュラウドが本発明による折りたたみ式陳列テーブルの前方斜視図である。
図２は、折りたたみ可能なディスプレーテーブルを折りたたみ形態で運ぶことができるダッフル袋の斜視図である。
図３は、シュラウド及びダッフル袋と並んだ折りたたみ可能なディスプレーテーブルの構成要素の斜視図である。
図４は、テーブル上面板支持アームの配列を示す折りたたみ可能なディスプレーテーブルの脚とトラス対網状構造の斜視図である。
図５は、折りたたみ形態における折りたたみテーブル上面板の斜視図である。
図６は、折りたたんでいない形態における折りたたみテーブル上面板の底面の斜視図である。
図７は、折りたたみ形態における折りたたみ下方棚の斜視図である。
図８は、折りたたんでいない形態における折りたたみ下方棚の底面の平面図である。
図９は、折りたたみディスプレーテーブルの脚の上部分及びトラス対網状構造の拡大前方斜視図である。
図１０は、図４の挿入部分１０における折りたたみ可能なディスプレーテーブルの脚の入れ子式脚の拡大斜視図である。
図１１は、図４の挿入部分１０における折りたたみ可能なディスプレーテーブルの脚の滑動部材の拡大斜視図である。
図１２は、図４の挿入部分１２における折りたたみ可能なディスプレーテーブルの脚の上部分の拡大斜視図である。
図１３は、図４の挿入部分１２における折りたたみ可能なディスプレーテーブルの棚支持アームの端部での突起部の挿入を示す、脚の下部分の穴の拡大斜視図である。
図１４は、テーブル上面板及び下方棚を適所にした折りたたみ可能なディスプレーテーブルの上部分の前方斜視図である。
図１５は、折りたたみ可能なディスプレーテーブルの各側にリンク部材の二重トラス対を備えた、本発明の折りたたみ可能なディスプレーテーブルの他の実施形態の側面図である。
図１６は、３つの脚を有し、折りたたみ可能なディスプレーテーブルの上面板に表示モニターが載り、仮想線で示す折りたたみ可能なディスプレーテーブルの下方棚に付属機器を載せ、シェラウドが本発明による折りたたみ可能なディスプレーテーブルを覆っている第２の別の実施形態の前方斜視図である。
図１７は、折りたたみ可能なディスプレーテーブルの正面側にリンク部材の二重のトラス対を備える、図１６の折りたたみ可能なディスプレーテーブルの正面図である。
図１８は、折りたたみ可能なディスプレーテーブルの右側のリンク部材の単一のトラス対を示す、図１６の折りたたみ可能なディスプレーテーブルの右側面図である。
図１９は、折りたたみ可能なディスプレーテーブルの左側のリンク部材の単一のトラス対を示す、図１６の折りたたみ可能なディスプレーテーブルの左側面図である。
図２０は、図１６の折りたたみ可能なディスプレーテーブルの折りたたみ形態の三角形の折りたたみテーブル上面板の側面図を示す。
図２１は、図２０の折りたたみテーブル上面板の折りたたんでいない形態での底面の底面図である。
図２２は、図１６の折りたたみ下方棚の底面の折りたたんでいない形態での底面図である。
図２３は、図１６の折りたたみ可能なディスプレーテーブルの脚の上部の拡大斜視図である。
〔好ましい実施形態の詳細な説明〕
持ち運びできる折りたたみ可能なカードテーブルで支持することができるビデオディスプレー機器の大きさ及び重量には、一般的には、限界があり、従来のより丈夫な折りたたみ可能なテーブルの持ち運びは、一般的には、重さによって制限される。多用途棚を備える従来のディスプレーテーブルもまた、一般的には折りたたみ可能ではなく、たやすく持ち運ぶことができなかった。本発明の改良された折りたたみ可能なディスプレーテーブルは、頑丈で、安定したトラス骨組と、コンピューター、ビデオ又はフィルム表示等を行うのに適したディスプレー機器を補助するための追加のビデオ機器用の１つ又は２以上の多用途棚とを備える
図面に示すように、本発明は、下方折りたたみ多用途棚１２と、折りたたみテーブル上面板１４とを有する改良した折りたたみ可能なディスプレーテーブル１０に実施される。ディスプレーテーブルは、テーブル上面板に収容することのできるビデオディスプレーモニター１６のような大きく重いディスプレー機器を支持するのに使用するのに適している。多用途棚は、ビデオカセットプレーヤー１８、コンピューター、コンパクトディスクロムプレーヤー、フィルム又はスライド供給機等のような付属機器を支持するのに適している。図１に示すように、折りたたみ可能なディスプレーテーブル全体は、多用途棚の付属機器及び折りたたみ可能なディスプレーテーブルの構造を隠すため、例えば布シュラウド２０で覆うのが有利である。テーブル上面板、多用途棚及び折りたたみ可能なディスプレーテーブルの構造の残部は、例えば図２及び図３に示すように、例えばダッフル袋２２で運搬するのに便利なように、折りたたみ、分解することができる。
図３、図４、図９及び図１４を参照すると、１つの好ましい実施形態では、折りたたみ可能なディスプレーテーブルは、リンク部材の複数のトラス対２６を備えた主トラス支持構造体２４を有する。この実施形態では、折りたたみ可能なディスプレーテーブルは、四角のテーブル上面板と、リンク部材の４つのトラス対とを有し、これらのリンク部材のトラス対が、第１上端３０及び第２下端３２を備えた第１リンク部材２８と、第１上端３６及び第２下端３８を備えた第２リンク部材３４とを有するのが好ましい。第１リンク部材及び第２リンク部材は、図３に示す第１の折りたたみ位置から、図４に示す第２広げ位置まで水平方向に広げられるように、中央枢動点４０のピン３９によってはさみ形態に互いに枢動可能に連結される。リンク部材のトラス対は、以下に説明するように、テーブル上面板及び棚部材を支持するため中空の脚４２に連結される。各脚は、上キャップ４６で保護される上端４４と、地面５２、又は、プラットフォーム、床等と係合することができる中空の脚内に滑動可能に配置された入れ子式脚部分５０を支持する脚下端４８とを有する。各入れ子式脚部分は、脚のうちの１つの下部内に滑動可能に取付けられ、つまみねじ５４がまた、入れ子式脚部分を延ばすときに該入れ子式脚部分を固定し、安定化させるため、下方脚部分の底端に取付けられている。つまみねじはまた、入れ子式脚部分を脚内の引っ込み位置に保持するのに使用することができる。入れ子式脚部分の上方部分は、ばね付勢式戻り止めピン５５を有し、該ばね付勢式戻り止めピン５５は、脚部分を適所に自動的に係止させるため、入れ子式脚部分を延ばしたときに脚の穴５６の適所にスナップ式に嵌まる。摺動部材５７が各脚に滑動可能に取付けられる。折りたたみ可能なディスプレーテーブルの一方の側面の第１リンク部材の第２の下方端、及び、折りたたみ可能なディスプレーテーブルの隣接した側面の第２リンク部材の第２の下方端は、各摺動部材に回動自在に連結される。少なくとも１つの摺動部材は、該摺動部材が取付けられた脚の、摺動部材を脚の一定位置に係止するための戻り止めピン６０を受け入れるための穴５８を備えるようになっているのが好ましい。
テーブル上面板を支持し、ディスプレーテーブルを一旦組み立てた後、かかるディスプレーテーブルを更に安定化させるため、折りたたみ可能なディスプレーテーブルは、少なくとも２つのテーブル上面板支持アーム６２を備え、各支持アーム６２は夫々、第１端６４と第２端６６とを有する。各テーブル上面板支持アームの第１端６４は、脚のうちの１つの上端に枢動可能に連結され、各テーブル上面板支持アームの第２端は、テーブル上面板支持アームが、脚のうちの隣接した脚の上端でフランジ又はボルト６７に取外し自在に取付けられるように、切り欠き６５を有する。
図３、図５、図６及び図１４に示すように、折りたたみテーブル上面板は、４つのセグメントのような複数のセグメント６８で作られ、これらのセグメントは、例えば、テーブル上面板を折りたためるようにヒンジ７０によって連結される。テーブル上面板が底面７１に、テーブル上面板支持アームに互いに嵌まり合うように寸法決めされたスロット７２を備え、ディスプレーテーブルを組み立てたときに、テーブル上面板がディスプレーテーブルをさらに引き締めるのが有利である。同様に、図３、図７、図８及び図１４に示すように、下方多用途棚も、４つのセグメントのような複数のセグメント７４で作られ、これらのセグメントは、例えば、多用途棚を折りたためるようにヒンジ７６によって連結される。図３、図４及び図１３に示すように、折りたたみ可能なディスプレーテーブルはまた、少なくとも一対の下方棚支持アーム７８を有し、各支持アーム７８は第１端８０と、第２端８２とを有し、これらの端８０、８２は、夫々、突起部又はフック８４を支持し、これらのフック８４は、下方棚を支持するための隣接した脚間に下方支持アームを着脱自在に取付けるために設けられた、脚の穴８６に、テーブルの両側で嵌まるようになっている。１つの多用途棚のみの取り付けしか説明しなかったけれども、ディスプレーテーブル用のより多くの棚を提供するため、追加の棚支持アームの取付け用の追加の穴を脚にに設けることができる。下方棚の底面８８もまた下方棚支持アームと嵌まり合うように寸法決めされた溝９０を有し、図１４に示すように、ディスプレーテーブルを組み立てたときに、下方棚がディスプレーテーブルをさらに引き締めるのが好ましい。
大型の折りたたみ可能なディスプレーテーブルに関しては、隣接した脚を連結するリンク部材の複数のトラス対は、上述した実施形態と本質的に同一であるディスプレーテーブルの他の要素を備えることができる。例えば、図１５に示す変形実施形態では、隣接した脚をリンク部材の２つのトラス対によって連結することができる。この実施形態では、折りたたみ可能なディスプレーテーブルの一方の側の各トラス対１００、１００’は、第１リンク部材１０２、１０２’と、第２リンク部材１０４、１０４’とを有する。第１リンク部材１０２は、同じ側の他方のトラス対１００’の第２のリンク部材１０４’の内端１０６’に枢動可能に連結された内端１０６を有する。第１リンク部材１０２、１０２’はまた、前記側の隣接した脚の上端４４に回動自在に連結された外端１０８、１０８’を有する。更に、第２リンク部材の内端１１０、１１０’は、折りたたみ可能なディスプレーテーブルの一方の側の２つのトラス対の第１リンク部材及び第２リンク部材が、第１の折りたたみ位置から第２の広げ位置まで水平方向に広げられるように二重のはさみ形に互いに枢動可能に連結される。第１の実施形態におけるように、第２リンク部材１０４、１０４’の外端１１２、１１２’は、脚４２に滑動可能に取り付けられた滑動部材５７に滑動可能に連結される。
図１６乃至図２２に示すように、第２の別の実施形態では、本発明の折りたたみ可能なディスプレーテーブルは、３本の脚によって組み立てられ、かつ三角形のテーブル上面板及び多用途棚を有する。この３本脚の実施形態の折りたたみ可能なディスプレーテーブルは、実質的に前記実施形態と同様であり、可能な限り類似の要素に対し類似の参照番号で説明する。図１０、図１１、図１３に示すように、入れ子式脚、滑動部材そして脚支持アームの形状は実質的に第１の実施形態の形状と等しい。
第２の別の実施形態では、折りたたみ可能なディスプレーテーブル２１０は又、好ましくは、下方折りたたみ多用途棚２１２及び折りたたみテーブル上面板２１４を有する。ディスプレーテーブルは、テーブル上面板に載せることができる、例えば、ビデオ表示モニター２１６などの、大きくて重いディスプレー機器を支持する際の使用に適する。多用途棚は、例えば、ビデオカセットプレーヤー２１８、コンピューター、コンパクトディスクロムプレーヤー、フィルム又はスライド供給機等の付属機器を支持するのに適する。図１６に示すように、折りたたみ可能なディスプレーテーブル全体は又、都合のよいことに、例えば、多用途棚に載った付属機器及び折りたたみ可能なディスプレーテーブルの構造を隠す織物のシェラウド２２０で覆うことができる。テーブル上面板、多用途棚及び折りたたみ可能なディスプレーテーブルの残りの構造物は、運ぶのに便利なように折りたたむことができかつ分解することができる。
図１７、図１８、図１９を参照すると、第２の別の実施形態では、折りたたみ可能なディスプレーテーブルは、リンク部材の複数のトラス対２２６を含む主トラス支持構造物２２４を有する。この実施形態では、折りたたみ可能なディプレーテーブルは、好ましくは、三角形のテーブル上面板及び２つの同様な大きさの側方トラス対２２７ａ及び２つのより小さい連結された前方トラス対２２７ｂを含むリンク部材の４つのトラス対を有する。各側方トラス対は、第１の上端２３０及び第２の下端２３２を有する第１リンク部材２２８と、第１の上端２３６及び第２の下端２３８を有する第２リンク部材２３４を有する。第１リンク部材と第２リンク部材は、第１の折りたたみ位置から図１７乃至図１９に示す第２の広げ位置まで水平方向に広げられるように中央枢着点２４０でピン２３９によってはさみ形態に共に枢動可能に連結されている。リンク部材のトラス対は、テーブル上面板及び棚部材を支持するために中空の脚２４２に連結されている。脚の各々は、上方キャップ２４６で保護された上方端２４４及び図１０に示すように地面又は演壇、床等との係合のために中空の脚の中に滑動可能に配置された入れ子式脚部分を支持する脚下端を有する。この実施形態では、脚は断面四角形として示されているが、脚は又、有利には断面三角形でも良い。図４、図１０、図１１を参照して、各入れ子式脚部分は、脚の一つの下部の中に滑動可能に取り付けられ、つまみねじが又、入れ子式脚部分を伸ばしたときにこれらを固定しかつ安定化させるために脚下端の底端に取り付けられる。入れ子式脚部分の上部は、ばね負荷式戻り止めピンを含み、該戻り止めピンは、入れ子式脚部分を伸ばしたとき、脚の対応する穴にスナップ嵌めして脚部分を適所に自動的に係止する。滑動部材２５７は各脚２４２に滑動可能に取り付けられる。折りたたみ可能なディプレーテーブルの一方の側の第１リンク部材及び折りたたみ可能なディプレーテーブルの隣接した側の第２リンク部材の第２の下端は各滑動部材に枢動可能に連結される。滑動部材の少なくとも１つは、好ましくは、滑動部材が脚の固定位置に掛止するために、滑動部材を取付けた脚の戻り止めピンを受け入れるための穴を備える。
図１８と図１９に示すように、テーブル上面板を支持しかつ、一旦組み立てたときディスプレーテーブルを更に安定化させるため、折りたたみ可能なディプレーテーブルは、少なくとも２つのテーブル上面板支持アーム２６２を備え、該支持アームは各々第１端２６４及び第２端２６６を有する。テーブル上面板支持アームの各々の第１端２６４は脚の１つの上端に枢動可能に連結され、テーブル上面板支持アームの各々の第２端２６６は、テーブル上面板支持アームが脚のうちの隣接した脚の上端でフランジ又はボルト２６７に取外し自在に取付けられるように切り欠きを有する。
図１７に最も良く示すように、より小さいトラス２２７ｂの一対が、この実施形態の折りたたみ可能なディプレーテーブルの正面側で共に連結され、折りたたみ可能なディプレーテーブルの側面の各正面トラス対３００と３００’は、第１リンク部材３０２，３０２’及び第２リンク部材３０４、３０４’を有する。第１リンク部材３０２は、同じ側の他のトラス対３００’の第２リンク部材３０４’の内端３０６’に枢動可能に連結された内端３０６を有する。第１リンク部材３０２と３０２’は又、第１リンク部材側の隣接した脚の上端２４４に枢動可能に連結された外端３０８と３０８’を有する。その上、第２リンク部材の内端３１０と３１０’は枢動可能に連結されているので、折りたたみ可能なディプレーテーブルの側面の２つのトラス対の第１リンク部材と第２リンク部材は、第１の折りたたみ位置から第２の広げ位置まで水平方向に広げることができるように二重のはさみ形態に共に枢動可能に連結される。第１の実施形態のように、第２リンク部材３０４と３０４’の外端３１２と３１２’は、脚２４２に滑動可能に取り付けられた滑動部材２５７に枢動可能に連結される。
図２０と図２１に示すように、三角形の折りたたみ式テーブル上面板は、テーブル上面板を折りたためるようにするため、ヒンジ２７０によって連結された例えば３つのセグメントのような複数のセグメント２６８で作られる。テーブル上面板は、テーブル上面板支持アームと嵌り合うために寸法決めされたスロット２７２を有する底面２７１を備えるのが有利であり、従って、テーブル上面板は、ディスプレーテーブルが組み立てられらとき、ディスプレーテーブルを更にブレースする。同様に、図２２に示すように、三角形の下方多用途棚は又、多用途棚を折りたためるようにするために、ヒンジ２７６で連結された例えば、３つのセグメントのような複数の折りたたみセグメント２７４で作られる。三角形の下方多用途棚の後方角部は、好ましくは、ディスプレーテーブルの中にフィットするように裁頭されている。図１７に示すように、折りたたみ可能なディプレーテーブルは又、少なくとも１対の下方棚支持アーム２７８を含み、図１３に示すように、該下方棚支持アームは各々突起部又はフックを持つ第１端部及び第２端部を有し、該突起部又はフックは、下方棚を支持する下方棚支持アームを隣接した脚間に取外し自在に取付けられる場合、テーブルの両側で対応する脚の穴に係合するようになっている。図１７に下方棚支持アーム２７８を脚の外側に取り付けたものとして示すが、該下方棚支持アームは又、図４及び図１４に示すように脚の内側に取り付けることもできる。ただ１つの多用途棚の取り付けを示すが、棚支持アームを追加して取り付けるために穴を追加して脚に設け、ディスプレーテーブルにそれ以上の棚を設けることもできる。下方棚の底面２８８は又、好ましくは、下方棚支持アームと嵌り合うように寸法決めされたスロット２０を有し、従って、下方棚は、ディスプレーテーブルを組み立てたときに該ディスプレーテーブルをブレースする。
上記に説明したように、明らかに本発明は、大きくて重いビデオディスプレー機器をテーブル上面板に載せ、付属装置を下方多用途棚に載せるための改善された安定性及び強度をもたらすが、持ち運び可能で素早く組み立てることのできる折りたたみ可能なディプレーテーブルを提供する。
以上の説明から、本発明の特別の形態を示し、かつ説明したが、本発明の精神及び範囲から逸脱することなく種々の変形をなくすことが可能であることは明らかである。従って、添付の請求の範囲を除いて本発明を限定するものではない。
【図１】
0003703486.tif 000002
【図２】
0003703486.tif 000003
【図３】
0003703486.tif 000004
【図４】
0003703486.tif 000005
【図５】
0003703486.tif 000006
【図６】
0003703486.tif 000007
【図７】
0003703486.tif 000008
【図８】
0003703486.tif 000009
【図９】
0003703486.tif 000010
【図１０】
0003703486.tif 000011
【図１１】
0003703486.tif 000012
【図１２】
0003703486.tif 000013
【図１３】
0003703486.tif 000014
【図１４】
0003703486.tif 000015
【図１５】
0003703486.tif 000016
【図１６】
0003703486.tif 000017
【図１７】
0003703486.tif 000018
【図２３】
0003703486.tif 000019
【図１８】
0003703486.tif 000020
【図１９】
0003703486.tif 000021
【図２０】
0003703486.tif 000022
【図２１】
0003703486.tif 000023
【図２２】
0003703486.tif 000024